(57)【要約】      （修正有）【課題】紫外線を好まない工場において、色の認識がなされ、かつ明るい照明が得られる快適な光源装置を提供する。【解決手段】青色発光ダイオードに蛍光体を塗布し、ピーク波長を５００ｎｍより長波長側に移行させた緑、または緑色発光ダイオードＬＥＤＧと、赤色発光ダイオードＬＥＤＲとで構成された光源部ＬＳで、赤色発光ダイオードの出力を電流制限抵抗ＲＲの抵抗値の調整またはＰＷＭのデューティー比を制御するか、または赤色発光ダイオードＬＥＤＲと緑色発光ダイオードＬＥＤＧの組み合わせを選択して、この光源部ＬＳより射出された分光波長の特性が４５０ｎｍ以下の積分光量が、波長全体の積分光量に対して３％以下のなるように、管理・制御された光源装置。【選択図】図１
0003196296.tif 000002
【実用新案登録請求の範囲】
【請求項１】
青色発光ダイオードに蛍光体を塗布し、ピーク波長を500nmより長波長側に移行させた緑、または黄緑色発光ダイオードと、赤色発光ダイオードとで構成された光源部で、この光源部より射出された分光波長の特性が450nm以下の積分光量が、波長全体の積分光量に対し3%以下になることを特徴としている光源装置。
【請求項２】
前記光源部に波長の異なる発光ダイオードの出力を制御することで、450nm以下の分光波長の積分光量が3%以下になるように調整することを特徴とする請求項１に記載する光源装置。
【請求項３】
前記光源部に、５００nm以下の波長を除去できるプラスチックカバーあるいは強化ガラス等で覆いを施したことを特徴とする請求項１に記載する請求項に記載する光源装置。
【考案の詳細な説明】
【技術分野】
【０００１】
本発明は光源装置に関し、特にLED（Light  Emitting   Diode：発光ダイオード）素子を光源に使用し紫外線を好まない被写体に対し紫外線の発光量を抑え、色の認識性を確保することと共に450nm以下の波長光量を3%以下に管理することを有する光源装置
【背景技術】
【０００２】
現在、高天井等に用いられる光源は明るさを確保するため水銀灯やナトリウムランプなどが用いられている。これらのランプの場合多くは消費電力、寿命などの交換手間がかかるなどの多くの問題があった。また、日光臭対策として、あるいはまた防虫効果改善のためフィルム等を施し、紫外線をカットする方法が取られてきた。また最近LEDを用いた光源も多く見られるが、相対として、紫外線が少ない光源と称するが、紫外線の光量管理がされていないのが実態である。一部でオレンジ色のアンバー色などの光源も提供されているが、色の視認性の劣化など頗る悪く労働環境は決してよい状態とはいえない環境であった。
【０００３】
近年、この種の光源装置では、例えば、光源に紫外線を遮断する黄色のフィルムを覆い、黄色の発光色をなしている。この手法は光源体が発光している分光波長特性のうち、不必要な波長を取り除いているという減算法の発光体である。
【０００４】
なお、この種の従来技術に関しては、例えば下記特許文献１を挙げることができる。
【先行技術文献】
【特許文献】
【０００５】
【特許文献１】特許出願H6-246244
【考案の概要】
【考案が解決しようとする課題】
【０００６】
本発明は可視光LEDの特性を最大限に利用して、従来のLEDが持つ特性を十分引き出す事で、本来の目的である、省エネ、長寿命、安定出力を得ることで出来る光源装置を提供することを目的としている。
【課題を解決するための手段】
【０００７】
本発明が提供する光源装置は、可視光を発光するLED素子を複数個組み合わせにより実装した発光部と、この発光部に電力を供給する電源部からなる光源装置である。この発光部には少なくとも青色LEDに蛍光体を塗布し、主波長を元の青色波長から長波長側にずらした黄緑色LEDと赤色、またはオレンジ色LEDを組み合わせた光源体で構成されている。但し、これらのLED素子から発光される紫外線量（４５０ｎｍ以下の波長の積分量）は全体の発光エネルギーの３％未満に管理されていることを特徴とする光源。
【考案の効果】
【０００８】
本発明によれば、紫外線による食品の劣化、例えば酒・ビール等による酵母菌などの味の低下を防ぐまたは防虫光源として虫の飛来数の低下により食の安全・衛生管理など大きな効果が得られる。あるいはまた、半導体工場のような紫外線で感光する材料において、一部４２０ｎｍ以下で感光するような感光剤においても有効で視認性の向上、作業環境の改善、仕事の効率化など大きな効果が得られる。
【図面の簡単な説明】
【０００９】
【図１】本発明による光源装置の一例の構成を示す
【図２】本光源部の分光波長特性を示した図である。
【図３】本発明による光源部の紫外線エネルギーの総和と可視光全体のエネルギーの総和の比較を示した図
【考案を実施するための形態】
【００１０】
以下、本発明の具体的な実施の形態について、実施例の図面を参照にして詳細に説明する。
【実施例】
【００１１】
図１において、本発明による波長選択光源装置の構成を説明するブロック図である。図１において、LSは赤色発光ダイオード素子LEDRと赤色発光ダイオードの出力を制限する電流制御抵抗RR、青色発光ダイオード素子に蛍光体を塗布して発光色を緑色から黄緑色に変色した緑色発光ダイオードLEDGと緑色発光ダイオードLEDGの出力を制限する電流制限抵抗RGとで構成されている。
【００１２】
また、出力を制限する方法として、光源部LSの赤色発光ダイオード素子LEDR、緑色発光ダイオード素子LEDGをそれぞれ独立して定電流素子をもちいて、電流制限する方法も良いし、またパルス駆動方式を用い、PWM信号のデューティー比で制御しても良い。
【００１３】
光源部LSにより発せられた波長分光特性を図２に示す。赤色発光素子LEDRのピーク波長630nm、青色LED素子に蛍光体を塗布した緑色発光素子LEDGのピーク波長は550nm、蛍光体を塗布した本ラインの青色LED素子の漏れ波長のピークは440nmが観測される事が分かる。
【００１４】
図３のA−A'、B−B'は紫外線波長の帯域幅である。この紫外線の波長で紫外線に感光する材料への影響、酒類、昆虫等に及ぼす影響はきわめて大きい。かつこれらの紫外線波長の帯域幅A-A'、B-B'における波長エネルギーを管理することはきわめて重要である。A−A'、C−C'は光源部LSの波長全体の帯域幅である。
【００１５】
紫外線感光性材料の感光する紫外線波長は種類としていくつか分類されているが、特に365nmを中心とした感光剤、また酒類等で日光臭と呼ばれる酒類の鮮度を悪化させる波長帯は450nm以下であるが、色の認識性を考慮した場合ある程度、含有しているほうが好ましい。また虫対策でも相対的な青色帯は少ない方が好ましいことは知られている。
【００１６】
紫外線域の450nm以下の紫外線積分光量を全体光量の３％以下の設定値にするためには、赤色LED（LEDR)の出力をRRの抵抗値の調整またはPWMのデューティー比を制御するか、または赤色LED（LEDR)と緑色LED（LEDG)の組み合わせを選択し、紫外線積分量を初期目的値の３％以下に管理・制御することが可能である。
【符号の説明】
【００１７】
LS・・・光源部、LEDR・・・赤色発光ダイオード、LEDG・・・青色発光ダイオードに蛍光体で塗布された緑色ダイオード、RR・・・LEDRの電流制限抵抗、RG・・・LEDGの電流制限抵抗、PS・・・電源部
【図１】
0003196296.tif 000003
【図２】
0003196296.tif 000004
【図３】
0003196296.tif 000005
【手続補正書】
【提出日】平成26年12月3日(2014.12.3)
【手続補正１】
【補正対象書類名】実用新案登録請求の範囲
【補正対象項目名】全文
【補正方法】変更
【補正の内容】
【実用新案登録請求の範囲】
【請求項１】
青色発光ダイオードに蛍光体を塗布し、ピーク波長を５００ｎｍより長波長側に移行させた緑、または黄緑色発光ダイオードと、赤色発光ダイオードとで構成された光源部で、赤色発光ダイオードの出力を電流制限抵抗（図１に示すＲＲ）の抵抗値の調整またはＰＷＭのデューティー比を制御するか、または赤色発光ダイオードと緑色発光ダイオードの組み合わせを選択して、この光源部より射出された分光波長の特性が４５０ｎｍ以下の積分光量が、波長全体の積分光量に対して３％以下のなるように、管理・制御された光源装置。
【請求項２】
前記光源部に波長の異なる発光ダイオードの出力を制御することで、波長全体の積分光量に対し４５０ｎｍ以下の分光波長の積分光量が３％以下になるよう調整、管理された事を特徴とする請求項１に記載する光源装置。
【請求項３】
前記光源部に、５００ｎｍ以下の波長を除去できるプラスチックカバーあるいは強化ガラス等で覆いを施したことを特徴とする請求項１に記載する光源装置